(57)【要約】【課題】  防犯機能が動作した場合に、携帯端末のモード設定状態を適切な状態にすることができる携帯端末を提供する。【解決手段】  公衆モードとそれ以外のモードとを備えた携帯端末であって、警報音を発音する発音手段と、前記発音手段から警報音を発音させるスイッチと、前記スイッチがＯＮ状態に応じて公衆モードに切り替える制御手段とを備える。【選択図】    図１
2006067459.tif 000002
【特許請求の範囲】
【請求項１】
公衆モードとそれ以外のモードとを備えた携帯端末であって、
警報音を発音する発音手段と、
前記発音手段から警報音を発音させるスイッチと、
前記スイッチがＯＮ状態に応じて公衆モードに切り替える制御手段と
を備えたことを特徴とする携帯端末。
【請求項２】
複数の待ち受けモードを有し、任意に待ち受けモードを切り替え可能な携帯端末であって、
警報音を発音する発音手段と、
前記発音手段から警報音を発音させるスイッチと、
前記スイッチがＯＮ状態に応じて、現時点で通信可能となっている待ち受けモードに切り替える制御手段と
を備えたことを特徴とする携帯端末。
【請求項３】
発信者電話番号を通知する発信者番号通知モードと発信者電話番号を通知しないもしくは着信側に表示させない非通知モードとを切り替えることが可能な携帯端末であって、
警報音を発音する発音手段と、
前記発音手段から警報音を発音させるスイッチと、
前記スイッチがＯＮ状態に応じて、予め決められた電話番号に対して発信を行う自動発信手段と、
前記自動発信手段により発信を行う場合に、発信者番号通知モードに切り替えてから自動発信を行う制御手段と
を備えたことを特徴とする携帯端末。
【発明の詳細な説明】
【技術分野】
【０００１】
本発明は、防犯機能を搭載した携帯端末に関する。
【背景技術】
【０００２】
従来から、非常事態時に警報音を鳴らすとともに、自動発信連絡機能を備えた携帯電話端末が知られている（例えば、特許文献１参照）。これは、いつ起こるかわからない非常事態に早急に対応するために、使用者が所定の操作を行うと防犯アラームを鳴らすとともに、予め設定しておいた緊急連絡先に自動発呼し、予め設定しておいた緊急メッセージを送信するものである。
【特許文献１】特開平１１−３４１５６７号公報
【発明の開示】
【発明が解決しようとする課題】
【０００３】
ところで、近年の携帯電話端末は、搭載されている機能が多数あり、例えば、複数の待ち受けモードを有していたり、発信者の電話番号を発信先の端末に表示するモードを有している。したがって、携帯端末から発呼する場合には、発呼する前に適切な設定を行ってから発呼操作をしなければならない。
しかしながら、特許文献１に示す携帯電話端末にあっては、緊急発信先へ発呼する場合、この緊急発信先へ発呼することができる待ち受けモードに設定されていた場合は問題なく発呼ができるが、緊急発信先へ発呼することができない待ち受けモードに設定されている場合は、自動発呼することができないという問題がある。
また、発信先の端末に発信者の電話番号を非通知にするモードである場合に、自動発呼をした場合、発信先の端末に発信者の電話番号が通知されないため、着信を拒否されてしまう場合があるという問題もある。
【０００４】
本発明は、このような事情に鑑みてなされたもので、防犯機能が動作した場合に、携帯端末のモード設定状態を適切な状態にすることができる携帯端末を提供することを目的とする。
【課題を解決するための手段】
【０００５】
本発明は、公衆モードとそれ以外のモードとを備えた携帯端末であって、警報音を発音する発音手段と、前記発音手段から警報音を発音させるスイッチと、前記スイッチがＯＮ状態に応じて公衆モードに切り替える制御手段とを備えたことを特徴とする。
【０００６】
本発明は、複数の待ち受けモードを有し、任意に待ち受けモードを切り替え可能な携帯端末であって、警報音を発音する発音手段と、前記発音手段から警報音を発音させるスイッチと、前記スイッチがＯＮ状態に応じて、現時点で通信可能となっている待ち受けモードに切り替える制御手段とを備えたことを特徴とする。
【０００７】
本発明は、発信者電話番号を通知する発信者番号通知モードと発信者電話番号を通知しないもしくは着信側に表示させない非通知モードとを切り替えることが可能な携帯端末であって、警報音を発音する発音手段と、前記発音手段から警報音を発音させるスイッチと、前記スイッチがＯＮ状態に応じて、予め決められた電話番号に対して発信を行う自動発信手段と、前記自動発信手段により発信を行う場合に、発信者番号通知モードに切り替えてから自動発信を行う制御手段とを備えたことを特徴とする。
【発明の効果】
【０００８】
本発明によれば、防犯機能が動作した場合に、携帯端末のモード設定状態を適切な状態にすることができるという効果が得られる。これにより、非常事態発生時において、的確な措置を講じることが可能となる。
【発明を実施するための最良の形態】
【０００９】
以下、本発明の一実施形態による携帯端末を図面を参照して説明する。図１は同実施形態における携帯端末２０の構成を示すブロック図である。この図において、符号１は、基地局との間で無線通信を行う無線部である。符号２は、携帯端末の処理動作を統括して制御する制御部である。符号３は、携帯端末が有している防犯機能が起動中であるか否かを切り替える防犯機能切替処理部である。符号４は、防犯機能が起動中であるか否かを記憶する防犯機能状態記憶部である。符号５は、携帯端末使用者がＯＮにする操作を行うことにより、警報音を発音させることができる防犯スイッチであり、一度ＯＮ状態にすると、次に操作するまで、ＯＮ状態が持続する。符号６は、防犯スイッチ５のＯＮ／ＯＦＦ状態を検出する防犯スイッチ検出部である。符号７は、発呼時に送信する情報に対して、発信者番号の情報を付加する発信者番号情報付加処理部である。符号８は、発信者番号を通知するか非通知にするかを設定する発信者番号通知設定部である。符号９は、発信者番号通知設定部８において設定した状態を記憶する発信者番号通知設定記憶部である。
【００１０】
符号１０は、待ち受けモード（公衆モード、自営モード、トランシーバモードのいずれか）を選択して設定する待ち受けモード設定部である。符号１１は、待ち受けモード設定部１０において設定したモードを記憶する待ち受けモード記憶部である。符号１２は、無線部１における受信状態を監視し、現時点で設定されている待ち受けモードにおいて、圏内であるか圏外であるかを判定する圏内判定部である。つまり、圏内である場合は通信可能であるエリアであること示している。符号１３は、圏内判定部１２において、圏内であるか圏外であるかを判定した結果得られる現時点の状態（圏内、圏外のいずれか）を記憶する圏内外状態記憶部である。符号１４は、着信音や警報音を発音させるスピーカである。符号１５は、スピーカ１４から着信音や警報音を発音させるための電気信号を発生させる発音処理部である。符号１６は、防犯スイッチ５が操作された場合に、自動発信を行う発信先の電話番号が記憶される電話番号記憶部である。符号１７は、電話番号記憶部１６に自動発信先の電話番号を登録するとともに、防犯スイッチ５が操作された場合に自動発信処理を行う自動発信処理部である。
【００１１】
ここで、待ち受けモードについて説明する。公衆モードとは、構外に設置されている基地局を介して、公衆回線に接続することができるモードである。自営モードとは、家庭内のデジタルコードレス電話機の子機または、会社内等の事業所コードレスシステムで利用するモードのことであり、デジタルコードレス親機や構内交換機を介して、公衆回線に接続することができるモードである。トランシーバモードとは、他の携帯端末２０との間で、基地局を介することなく直接通信を行うモードであり、このモードは公衆回線には接続することができないモードである。
【００１２】
次に、図２を参照して、携帯端末２０が動作する環境について説明する。この図において、符号Ａは、携帯端末２０を自営モードで使用する会社等の構内であり、基地局２１Ａを介して、携帯端末２０と携帯端末２０Ａとの間で通信を行うことができるとともに、基地局２１Ａと図示しない構内交換機を介して、携帯端末２０を、固定電話網１５並びに移動通信網２２、２７といった公衆回線に接続可能である。符号２１は、公衆モード時に携帯端末２０が接続し、移動通信網２２を介して公衆回線へ接続するための基地局である。符号２２は、携帯端末２０が属する通信会社の移動通信網である。符号２３は、携帯端末２０と同じ通信会社に属する携帯端末２４と移動通信網２２とを接続する基地局である。符号２５は、固定電話機２６と携帯端末２０を接続するための固定電話網である。符号２７は、携帯端末２０と異なる通信会社の移動通信網である。符号２８は、携帯端末２０と異なる通信会社の携帯端末２９と移動通信網２７とを接続する基地局である。電話番号記憶部１６には、図２に示す携帯端末２０Ａ、携帯端末２４、固定電話機２６及び携帯端末２９等の電話番号が登録可能である。
【００１３】
次に、図３〜図６を参照して、図１に示す携帯端末２０の動作を説明する。
初めに、図３を参照して、防犯スイッチ５が操作された場合に待ち受けモードを切り替える動作を説明する。まず、携帯端末使用者が防犯スイッチをＯＮにする（ステップＳ１）。防犯スイッチ検出部６は、防犯スイッチ５がＯＮになったことを検出すると、制御部２に対して、防犯スイッチ５がＯＮになったことを通知する。これを受けて制御部２は、防犯機能切替処理部３に対して、防犯スイッチがＯＮ状態となったことを通知するとともに、発音処理部１５に対して警報音を鳴らすように指示する。これを受けて防犯機能切替処理部３は、防犯機能状態記憶部４に「起動中」であること示す情報を記憶する。また、発音処理部１５は、スピーカ１４から警報音を発音させる。
【００１４】
次に、制御部２は、待ち受けモード設定部１０に対して、現時点の待ち受けモードが何であるかを問い合わせる。これを受けて、待ち受けモード設定部１０は、待ち受けモード記憶部１１に記憶されている待ち受けモードを識別する識別名を読み出して、制御部２へ応答する。制御部２は、この応答に基づいて、現時点の待ち受けモードが公衆モード以外であるか否かを判定する（ステップＳ２）。
【００１５】
この判定の結果、現時点の待ち受けモードが公衆モード以外である場合、制御部２は、待ち受けモード設定部１０に対して、待ち受けモードを公衆モードに切り替えるように指示する。これを受けて、待ち受けモード設定部１０は、待ち受けモードを公衆モードに切り替えて、公衆モードの識別名を待ち受けモード記憶部１１へ記憶する（ステップＳ３）。そして、制御部２は、自動発信処理部１７に対して、自動発信処理を行うように指示する。自動発信処理部１７は、電話番号記憶部１６に記憶されている電話番号を読み出して、この読み出した電話番号に対して、自動発信処理を行う（ステップＳ４）。また、制御部２は、現時点の待ち受けモードが既に公衆モードである場合は、待ち受けモード切り替え処理を行うことなく自動発信処理部１７に対して、自動発信処理を行うように指示する。
【００１６】
このように、防犯機能（警報音の発音）を動作させた場合に、自動的に公衆回線に接続できるモード（公衆モード）に切り替えるようにしたため、直ぐに発信することが可能となり、緊急事態であることを速やかに通知することができる。
【００１７】
次に、図４を参照して、防犯スイッチ５が操作された場合に、通信可能になっている待ち受けモードに切り替える動作を説明する。まず、携帯端末使用者が防犯スイッチをＯＮにする（ステップＳ１１）。防犯スイッチ検出部６は、防犯スイッチ５がＯＮになったことを検出すると、制御部２に対して、防犯スイッチ５がＯＮになったことを通知する。これを受けて制御部２は、防犯機能切替処理部３に対して、防犯スイッチがＯＮ状態となったことを通知するとともに、発音処理部１５に対して警報音を鳴らすように指示する。これを受けて防犯機能切替処理部３は、防犯機能状態記憶部４に「起動中」であることを示す情報を記憶する。また、発音処理部１５は、スピーカ１４から警報音を発音させる。
【００１８】
次に、制御部２は、圏内判定部１２に対して、現時点の待ち受けモードが通信相手の電波を受信できて通信可能な圏内であるかを問い合わせる。つまり、通信可能エリアであるか否かを問い合わせることである。これを受けて、圏内判定部１２は、圏内外状態記憶部１３に記憶されている圏内／圏外のいずれかを識別できる識別名を読み出して、制御部２へ応答する。制御部２は、この応答に基づいて、現時点の待ち受けモードが圏内であるか否かを判定する（ステップＳ１２）。
【００１９】
この判定の結果、現時点の待ち受けモードが圏外である場合、つまり、通信可能エリアでない場合、制御部２は、待ち受けモード設定部１０に対して、待ち受けモードを現時点のモード以外のモードに切り替えるように指示する。これを受けて、待ち受けモード設定部１０は、待ち受けモードを切り替えて、切り替えた待ち受けモードの識別名を待ち受けモード記憶部１１へ記憶する（ステップＳ１３）。
【００２０】
そして、制御部２は、再び圏内判定部１２に対して、現時点の待ち受けモードが圏内であるかを問い合わせる。これを受けて、圏内判定部１２は、圏内外状態記憶部１３に記憶されている圏内／圏外のいずれかを識別できる識別名を読み出して、制御部２へ応答する。制御部２は、この応答に基づいて、現時点の待ち受けモードが圏内であるか否かを判定し、圏内である待ち受けモードに切り替えられた時点で、自動発信処理部１７に対して、自動発信処理を行うように指示する。自動発信処理部１７は、電話番号記憶部１６に記憶されている電話番号を読み出して、この読み出した電話番号に対して、自動発信処理を行う（ステップＳ１４）。
【００２１】
このように、防犯機能（警報音の発音）を動作させた場合に、自動的に圏内である待ち受けモードに切り替えるようにしたため、直ぐに発信することが可能となり、緊急事態であることを速やかに通知することができる。
【００２２】
次に、図５を参照して、防犯スイッチ５が操作された場合に、発信者番号通知をＯＮに切り替える動作を説明する。まず、携帯端末使用者が防犯スイッチをＯＮにする。防犯スイッチ検出部６は、防犯スイッチ５がＯＮになったことを検出する（ステップＳ２１）と、制御部２に対して、防犯スイッチ５がＯＮになったことを通知する。これを受けて制御部２は、防犯機能切替処理部３に対して、防犯スイッチがＯＮ状態となったことを通知するとともに、発音処理部１５に対して警報音を鳴らすように指示する。防犯機能切替処理部３は、防犯機能状態記憶部４に「起動中」であることを示す情報を記憶する。また、発音処理部１５は、スピーカ１４から警報音を発音させる（ステップＳ２２）。
【００２３】
次に、制御部２は、発信者番号通知設定部８に対して、現時点の発信者番号通知の設定状態を問い合わせる。これを受けて、発信者番号通知設定部８は、発信者番号通知設定記憶部９に記憶されている発信者番号通知の設定状態（ＯＮ／ＯＦＦ）を読み出して、制御部２へ応答する。制御部２は、この応答に基づいて、現時点の発信者番号通知の設定がＯＦＦであるか否かを判定する（ステップＳ２３）。
【００２４】
この判定の結果、現時点の発信者番号通知の設定がＯＦＦである場合、制御部２は、発信者番号通知設定部８に対して、発信者番号通知の設定をＯＮにするように指示する。これを受けて、発信者番号通知設定部８は、発信者番号通知の設定をＯＮにして、設定状態を発信者番号通知設定記憶部９へ記憶する（ステップＳ２４）。そして、制御部２は、自動発信処理部１７に対して、自動発信処理を行うように指示する。自動発信処理部１７は、電話番号記憶部１６に記憶されている電話番号を読み出して、この読み出した電話番号に対して、自動発信処理を行う（ステップＳ２５）。また、制御部２は、現時点の発信者番号通知の設定がＯＮである場合は、発信者番号通知の設定処理を行うことなく自動発信処理部１７に対して、自動発信処理を行うように指示する。
【００２５】
なお、図５に示す判定ステップＳ２３は、図６に示すように省略して、防犯スイッチ５がＯＮになった場合（ステップＳ３１）は、警報音を発音させ（ステップＳ３２）、判定処理を行うことなく、発信者番号通知の設定をＯＮして（ステップＳ３３）、自動発信処理を行う（ステップＳ３４）ようにしてもよい。
【００２６】
また、発信者番号の非通知モードとは、一般的に発信側から着信側へ発信者番号を通知しない場合と、発信側から着信側へ発信者番号を通知するが、表示不許可情報を通知して着信側に受信した発信者番号を表示させない場合とがある。
【００２７】
このように、防犯機能（警報音の発音）を動作させた場合に、自動的に発信者番号通知をＯＮするようにし、発信先の相手に自分の電話番号を確実に通知することができるため、相手に応答してもらえる可能性が高くなる。
【００２８】
なお、本発明の携帯端末は、移動通信を使用した携帯電話機や移動通信機能を有した携帯情報端末（ＰＤＡ）などを含むものである。
【図面の簡単な説明】
【００２９】
【図１】本発明の一実施形態の構成を示すブロック図である。
【図２】システムの全体構成を示すブロック図である。
【図３】図１に示す携帯端末２０の動作を示すフローチャートである。
【図４】図１に示す携帯端末２０の動作を示すフローチャートである。
【図５】図１に示す携帯端末２０の動作を示すフローチャートである。
【図６】図１に示す携帯端末２０の動作を示すフローチャートである。
【符号の説明】
【００３０】
１・・・無線部、２・・・制御部、３・・・防犯機能切替処理部、４・・・防犯機能状態記憶部、５・・・防犯スイッチ、６・・・防犯スイッチ検出部、７・・・発信者番号通知情報付加処理部、８・・・発信者番号通知設定部、９・・・発信者番号通知設定記憶部、１０・・・待ち受けモード設定部、１１・・・待ち受けモード記憶部、１２・・・圏内外変更部、１３・・・圏内外状態記憶部、１４・・・スピーカ、１５・・・発音処理部、１６・・・電話番号記憶部、１７・・・自動発信処理部、２０・・・携帯端末
【図１】
2006067459.tif 000003
【図２】
2006067459.tif 000004
【図３】
2006067459.tif 000005
【図４】
2006067459.tif 000006
【図５】
2006067459.tif 000007
【図６】
2006067459.tif 000008